(57)【要約】【課題】シリンダの詳細な情報が得られる射出成形機を提供すること。【解決手段】射出成形機１０は、成形材料が供給されるシリンダ１１と、シリンダ１１を加熱する加熱源Ｈ１〜Ｈ４と、シリンダ１１の熱伝導方程式、シリンダ１１内の物質の熱伝導方程式、及び加熱源Ｈ１〜Ｈ４における熱の流出入を表す式に基づく伝熱モデルを用いて、シリンダ１１における任意の位置の温度を推定する推定部６３とを備え、推定部６３は、所定時刻の加熱源Ｈ１〜Ｈ４の出力を伝熱モデルに入力し、所定時刻のシリンダ１１における任意の位置の温度を推定する。【選択図】図２
2014046488.tif 000002
【特許請求の範囲】
【請求項１】
成形材料が供給されるシリンダと、
該シリンダを加熱する加熱源と、
前記シリンダの熱伝導方程式、前記シリンダ内の物質の熱伝導方程式、及び前記加熱源における熱の流出入を表す式に基づく伝熱モデルを用いて、前記シリンダにおける任意の位置の温度を推定する推定部とを備え、
該推定部は、所定時刻の前記加熱源の出力を前記伝熱モデルに入力し、該所定時刻の前記シリンダにおける任意の位置の温度を推定する、射出成形機。
【請求項２】
前記推定部の推定結果に基づいて、熱移動を表す値を表示する表示部をさらに備える、請求項１に記載の射出成形機。
【請求項３】
前記表示部は、熱移動を表す値として、所定時刻の温度分布、所定位置における温度の時間変化、所定時刻及び所定位置における熱流束、及び所定時刻に所定位置を通過する単位時間当たりの熱量のうち、少なくとも１つを表示する、請求項２に記載の射出成形機。
【請求項４】
ユーザの入力操作を受け付ける入力部をさらに備え、
前記表示部は、ユーザが前記入力部で指定した位置、及び／又はユーザが前記入力部で指定した時刻における、熱移動を表す値を表示する、請求項２又は３記載の射出成形機。
【請求項５】
前記推定部は、所定位置の推定温度が所定範囲内にあるかどうかを監視する、請求項１〜４のいずれか１項に記載の射出成形機。
【請求項６】
前記推定部は、前記推定温度が所定範囲内にないとき、前記シリンダの設定温度を変更する、請求項５に記載の射出成形機。
【請求項７】
前記推定部は、前記推定温度が所定範囲内にないとき、警告を出力させる、請求項５又は６に記載の射出成形機。
【請求項８】
前記推定部は、前記加熱源のフィードバック制御モデルの制御定数に基づいて、前記伝熱モデルに入力する前記加熱源の出力を算出する、請求項１〜７のいずれか１項に記載の射出成形機。
【請求項９】
前記推定部は、所定時刻の前記加熱源の出力を前記伝熱モデルに入力し、該所定時刻の前記シリンダ内物質の温度、及び該所定時刻の前記加熱源の温度をさらに推定する、請求項１〜８のいずれか１項に記載の射出成形機。
【発明の詳細な説明】
【技術分野】
【０００１】
本発明は、射出成形機に関する。
【背景技術】
【０００２】
射出成形機は、成形材料としての樹脂ペレットが供給されるシリンダと、シリンダを加熱する加熱源とを備える。射出成形機は、シリンダ内で樹脂を溶融させ、溶融させた樹脂を金型装置内のキャビティ空間に充填させることで、成形品を製造する。
【０００３】
シリンダの後部には、樹脂ペレットを供給する供給口が設けられている。シリンダの後部は、樹脂のブリッジ（塊化）が生じないように、樹脂の表面が溶融しない温度に保たれる。そのため、シリンダの後部は、内部に冷媒流路を有する冷却装置で冷却される。
【０００４】
冷却装置よりも前方に加熱源が設けられる。シリンダの温度が設定温度になるように加熱源の出力がフィードバック制御される（例えば、特許文献１参照）。シリンダの温度は温度センサにより測定される。
【先行技術文献】
【特許文献】
【０００５】
【特許文献１】特開平１１−２２７０１９号公報
【発明の概要】
【発明が解決しようとする課題】
【０００６】
従来、射出成形機のコントローラは、シリンダ内における樹脂の状態を決める要因として、温度センサの測定結果などを監視していた。しかし、温度センサの設置数は限られており、シリンダの詳細な情報は分からなかった。
【０００７】
本発明は、上記課題に鑑みてなされたものであって、シリンダの詳細な情報が得られる射出成形機の提供を目的とする。
【課題を解決するための手段】
【０００８】
上記課題を解決するため、本発明の一態様による射出成形機は、
成形材料が供給されるシリンダと、
該シリンダを加熱する加熱源と、
前記シリンダの熱伝導方程式、前記シリンダ内の物質の熱伝導方程式、及び前記加熱源における熱の流出入を表す式に基づく伝熱モデルを用いて、前記シリンダにおける任意の位置の温度を推定する推定部とを備え、
該推定部は、所定時刻の前記加熱源の出力を前記伝熱モデルに入力し、該所定時刻の前記シリンダにおける任意の位置の温度を推定する。
【発明の効果】
【０００９】
本発明によれば、シリンダの詳細な情報が得られる射出成形機が提供される。
【図面の簡単な説明】
【００１０】
【図１】本発明の一実施形態による射出成形機を示す図である。
【図２】本発明の一実施形態による射出成形機の要部を示す図である。
【図３】本発明の一実施形態によるシリンダの熱伝導方程式の説明図である。
【図４】本発明の一実施形態によるシリンダ内の物質の熱伝導方程式の説明図である。
【図５】本発明の一実施形態による加熱源における熱の流出入を表す式の説明図である。
【発明を実施するための形態】
【００１１】
以下、本発明を実施するための形態について図面を参照して説明する。各図面において、同一の又は対応する構成については同一の又は対応する符号を付して説明を省略する。
【００１２】
図１は、本発明の一実施形態による射出成形機を示す図である。以下、樹脂の射出方向を前方とし、樹脂の射出方向とは反対方向を後方として説明する。
【００１３】
射出成形機１０は、シリンダ１１内で溶融した樹脂をノズル１２から射出し、金型装置内のキャビティ空間に充填する。金型装置は固定金型及び可動金型で構成され、型締め時に固定金型と可動金型との間にキャビティ空間が形成される。キャビティ空間で冷却固化された樹脂は、型開き後に成形品として取り出される。成形材料としての樹脂ペレットは、ホッパ１６からシリンダ１１の後部に供給される。
【００１４】
射出成形機１０は、シリンダ１１内に配設されるスクリュ１３を回転させる計量用モータ４１を備える。計量用モータ４１は、サーボモータであってよい。計量用モータ４１の回転は、ベルトやプーリなどの連結部材４２を介して、射出軸４３に伝えられ、スクリュ１３が回転される。そうすると、スクリュ１３のフライト（ねじ山）が動き、スクリュ１３のねじ溝内に充填された樹脂が前方に送られる。
【００１５】
射出成形機１０は、スクリュ１３を軸方向に移動させる射出用モータ５１を備える。射出用モータ５１は、サーボモータであってよい。射出用モータ５１の回転はボールねじ軸５２に伝えられる。ボールねじ軸５２の回転により前後進するボールねじナット５３はプレッシャプレート５４に固定されている。プレッシャプレート５４は、ベースフレーム（図示せず）に固定されたガイドバー５５、５６に沿って移動可能である。プレッシャプレート５４の前後進運動は、ベアリング５７、樹脂圧力検出器（例えばロードセル）５８、射出軸４３を介してスクリュ１３に伝えられ、スクリュ１３が進退される。スクリュ１３の進退量は、プレッシャプレート５４に取り付けられる位置検出器５９で検出される。
【００１６】
射出成形機１０の動作は、コントローラ６０によって制御される。コントローラ６０は、ＣＰＵ及びメモリなどで構成され、メモリなどに記憶されたプログラムをＣＰＵで実施させることにより、各種機能を実現する。コントローラ６０は、例えば計量工程を制御する計量処理部６１、充填工程を制御する充填処理部６２を備える。
【００１７】
次に、射出成形機１０の動作について説明する。
【００１８】
計量工程では、計量処理部６１が、計量用モータ４１を回転駆動し、スクリュ１３を回転させる。そうすると、スクリュ１３のフライト（ねじ山）が動き、スクリュ１３のねじ溝内に充填された樹脂ペレットが前方に送られる。樹脂は、シリンダ１１内を前方に移動しながら、シリンダ１１からの熱などで加熱され、シリンダ１１の先端部において完全に溶融した状態となる。そして、スクリュ１３の前方に溶融樹脂が蓄積されるにつれ、スクリュ１３は後退する。スクリュ１３が所定距離後退し、スクリュ１３の前方に所定量の樹脂が蓄積されると、計量処理部６１は計量用モータ４１の回転を停止させ、スクリュ１３の回転を停止させる。
【００１９】
充填工程では、充填処理部６２が、射出用モータ５１を回転駆動し、スクリュ１３を前進させ、型締め状態の金型装置内のキャビティ空間に溶融樹脂を押し込む。スクリュ１３が溶融樹脂を押す力は、樹脂圧力検出器５８により反力として検出される。つまり、スクリュ１３にかかる樹脂圧力（樹脂の射出圧）が検出される。キャビティ空間で樹脂が冷却によって収縮するので、熱収縮分の樹脂を補充するため、保圧工程では、スクリュ１３にかかる樹脂圧力（樹脂の射出圧）が所定の圧力に保たれる。
【００２０】
図２は、本発明の一実施形態による射出成形機の要部を示す図である。
【００２１】
射出成形機１０は、シリンダ１１と、シリンダ１１内で樹脂を送るスクリュ１３と、シリンダ１１を加熱する複数の加熱源Ｈ１〜Ｈ４と、シリンダ１１の後部を冷却する冷却装置３０とを備える。
【００２２】
スクリュ１３は、シリンダ１１内に回転自在に且つ軸方向に移動自在に配設される。スクリュ１３は、スクリュ回転軸１４と、スクリュ回転軸１４の周りに螺旋状に設けられるフライト１５とを一体的に有する。スクリュ１３が回転すると、スクリュ１３のフライト１５が動き、スクリュ１３のねじ溝内に充填された樹脂ペレットが前方に送られる。
【００２３】
スクリュ１３は、例えば図２に示すように、軸方向に沿って後方（ホッパ１６側）から前方（ノズル１２側）にかけて、供給部１３ａ、圧縮部１３ｂ、計量部１３ｃとして区別される。供給部１３ａは、樹脂を受け取り前方に搬送する部分である。圧縮部１３ｂは、供給された樹脂を圧縮しながら溶融する部分である。計量部１３ｃは、溶融した樹脂を一定量ずつ計量する部分である。スクリュ１３のねじ溝の深さは、供給部１３ａで深く、計量部１３ｃで浅く、圧縮部１３ｂにおいて前方に向かうほど浅くなっている。尚、スクリュ１３の構成は特に限定されない。例えばスクリュ１３のねじ溝の深さは、一定であってもよい。
【００２４】
加熱源Ｈ１〜Ｈ４としては、例えばシリンダ１１を外側から加熱するヒータが用いられる。ヒータは、シリンダ１１の外周を囲むように設けられる。
【００２５】
複数の加熱源Ｈ１〜Ｈ４は、シリンダ１１の軸方向に沿って配列され、シリンダ１１を軸方向に複数のゾーン（図３では４つのゾーンＺ１〜Ｚ４）に分けて個別に加熱する。各ゾーンＺ１〜Ｚ４の温度が設定温度になるように、複数の加熱源Ｈ１〜Ｈ４がコントローラ６０によってフィードバック制御される。各ゾーンＺ１〜Ｚ４の温度は、温度センサＳ１〜Ｓ４により測定される。尚、ノズル１２にも加熱源が設けられてよい。
【００２６】
冷却装置３０は、複数の加熱源Ｈ１〜Ｈ４よりも後方に設けられる。冷却装置３０は、シリンダ１１の後部を冷却し、シリンダ１１の後部やホッパ１６内で樹脂ペレットのブリッジ（塊化）が生じないように、樹脂ペレットの表面が溶融しない温度にシリンダ１１の後部の温度を保つ。冷却装置３０は、水や空気などの冷媒の流路３１を有する。
【００２７】
コントローラ６０は、伝熱モデルを用いて、シリンダ１１における任意の位置の温度を推定する推定部６３を備える。伝熱モデルは、コントローラ６０のメモリなどに記憶されており、必要に応じて読み出される。
【００２８】
伝熱モデルは、シリンダ１１の熱伝導方程式、シリンダ１１内の物質（以下、「シリンダ内物質」ともいう）の熱伝導方程式、及び各加熱源Ｈｋ（図２ではｋ＝１，２，３，４）における熱の流出入を表す式に基づくものである。以下、各式について説明する。各式において、同じ記号は同じ意味である。
【００２９】
図３は、本発明の一実施形態によるシリンダの熱伝導方程式の説明図である。シリンダの熱伝導方程式は、例えば下記式（１）などで表される。式（１）では、式の簡単化のため、シリンダ１１の温度がシリンダ１１の中心線の周りに略均一であると近似し、２次元化してある。尚、後述の式（２）及び式（３）においても同様に２次元化してある。
【００３０】
【数１】
2014046488.tif 000003
上記式（１）中、ｘはシリンダ軸方向（前後方向）における位置座標、ｙはシリンダ径方向における位置座標、Ｒｏｕｔはシリンダ１１の外周面の半径、Ｔ（ｔ）は時刻ｔにおける座標（ｘ，ｙ）での温度、αはシリンダ１１の熱拡散率［ｍ２／ｓ］を表す。ｘ座標の原点はシリンダ１１の前端面であり、前端面から後端面に向かうほどｘが大きくなる。また、ｙ座標の原点はシリンダ１１の外周面であり、外周面から内周面に向かうほどｙが大きくなる。
【００３１】
上記式（１）を離散化し、上記式（１）が定義される領域（つまり、シリンダ１１）を複数の微小領域（要素）に分割する。座標（ｉ×Δｘ，ｊ×Δｙ）における微小領域の時刻ｔの温度をＴｉ,ｊ（ｔ）とする。ｉは０〜ｍの整数、ｊは０〜ｎの整数である。シリンダ１１の軸方向長さをＬとすると、Ｌ＝ｍ×Δｘの式が成立する。また、シリンダ１１の内周面の半径をＲｉｎ、シリンダ１１の外周面の半径Ｒｏｕｔとすると、Ｒｏｕｔ−Ｒｉｎ＝ｎ×Δｙの式が成立する。シリンダ１１における微小領域の数（ｍ＋１）×（ｎ＋１）は、シリンダ１１における任意の位置の温度が解けるように設定される。
【００３２】
微小領域の昇温速度（温度Ｔｉ,ｊ（ｔ）の１回微分）は、該微小領域に対する熱の流出入により決まり、該微小領域の温度Ｔｉ,ｊ（ｔ）と、該微小領域に隣接する微小領域の温度との温度差などで決まる。従って、微小領域の温度Ｔｉ,ｊ（ｔ）の１回微分は、微小領域の温度Ｔｉ,ｊ（ｔ）、及び隣接する微小領域の温度Ｔｉ−１,ｊ（ｔ）、Ｔｉ＋１,ｊ（ｔ）、Ｔｉ,ｊ−１（ｔ）、Ｔｉ,ｊ＋１（ｔ）の関数となる（但し、ｉは１〜ｍ−１の整数、ｊは１〜ｎ−１の整数）。
【００３３】
シリンダ後端（座標ｘ＝ｍ×Δｘ）における微小領域の温度Ｔｍ,ｊ（ｔ）は、冷却装置３０によって外気の温度Ｔａと略同じ温度に保たれている。従って、シリンダ後端と外気との境界条件としては、温度固定条件が与えられる。つまり、Ｔｍ,ｊ（ｔ）＝Ｔａの式が成立する。尚、シリンダ後端の温度Ｔｍ,ｊ（ｔ）は、外気の温度Ｔａよりも高い所定温度Ｔｃ（Ｔｃ＞Ｔａ）に保たれていてもよい。
【００３４】
一方、シリンダ前端（座標ｘ＝０）と外気との境界条件、シリンダ外周（座標ｙ＝０）と外気との境界条件、シリンダ外周（座標ｙ＝０）と加熱源Ｈｋとの境界条件、及びシリンダ内周（座標ｙ＝ｎ×Δｙ）とシリンダ内の物質との境界条件としては、熱流束境界条件が与えられる。
【００３５】
従って、シリンダ前端（座標ｘ＝０）における微小領域の昇温速度（温度Ｔ０,ｊ（ｔ）の一回微分）は、該微小領域の温度、該微小領域と隣接する微小領域の温度、外気の温度Ｔａ、シリンダ１１と外気との間の熱伝達係数［Ｗ／（ｍ２・℃）］などで決まる。
【００３６】
同様に、シリンダ外周（座標ｙ＝０）のうち、外気と接する微小領域の昇温速度（温度Ｔｉ,０（ｔ）の一回微分）は、該微小領域の温度、該微小領域と隣接する微小領域の温度、外気の温度Ｔａ、シリンダ１１と外気との間の熱伝達係数［Ｗ／（ｍ２・℃）］などで決まる。
【００３７】
また、シリンダ外周（座標ｙ＝０）のうち、加熱源Ｈｋと接する微小領域の昇温速度（温度Ｔｉ,０（ｔ）の一回微分）は、該微小領域の温度、該微小領域と隣接する微小領域の温度、加熱源Ｈｋの温度Ｔｈｋ（ｔ）、シリンダ１１と加熱源Ｈｋとの間の熱伝達係数［Ｗ／（ｍ２・℃）］などで決まる。
【００３８】
さらに、シリンダ内周（座標ｙ＝ｎ×Δｙ）における微小領域の昇温速度（温度Ｔｉ,ｎ（ｔ）の一回微分）は、該微小領域の温度、該微小領域と隣接する微小領域の温度、シリンダ内物質の温度Ｔｆｌｉ（ｔ）、シリンダ内物質とシリンダ１１との間の熱伝達係数［Ｗ／（ｍ２・℃）］などで決まる。シリンダ内物質の温度Ｔｆｌｉ（ｔ）については後述する。
【００３９】
尚、シリンダ内物質は、例えば成形開始前におけるシリンダ１１の昇温時には空気、成形時には樹脂であってよく、途中で変わってよい。
【００４０】
図４は、本発明の一実施形態によるシリンダ内の物質の熱伝導方程式の説明図である。シリンダ内物質の熱伝導方程式は、例えば下記の式（２）などで表される（但し、ｉは１〜ｍ−１の整数）。式（２）では、式の簡単化のため、シリンダ内物質の温度分布がシリンダ１１の径方向に均一としてある。
【００４１】
【数２】
2014046488.tif 000004
上記式（２）中、Ｔｆｌｉ（ｔ）は座標ｘ＝ｉ×Δｘにおける微小空間の時刻ｔの温度［℃］、ρｉｎはシリンダ内物質の密度［ｋｇ／ｍ３］、ｃｉｎはシリンダ内物質の定圧比熱［Ｊ／ｋｇ］を表す。
ｑ１は、座標ｘ（ｘ＝ｉ×Δｘ）における微小領域に、前方（図４中左側）の微小領域から流れ込む単位時間当たりの流入熱量［Ｗ］を表す。流入熱量ｑ１は、微小領域間の温度差（Ｔｆｌｉ−１（ｔ）−Ｔｆｌｉ（ｔ））の関数となっている。その温度差が大きくなるほど、流入熱量ｑ１が増える。流入熱量ｑ１の算出には、シリンダ内物質の熱伝導率［Ｗ／（ｍ・℃）］などが用いられる。
ｑ２は、座標ｘ（ｘ＝ｉ×Δｘ）における微小領域から、後方（図４中右側）の微小領域に流れ出す単位時間当たりの流出熱量［Ｗ］を表す。流出熱量ｑ２は、微小領域間の温度差（Ｔｆｌｉ（ｔ）−Ｔｆｌｉ＋１（ｔ））の関数となっている。その温度差が大きくなるほど、流出熱量ｑ２が増える。流出熱量ｑ２の算出には、シリンダ内物質の熱伝導率［Ｗ／（ｍ・℃）］などが用いられる。
ｑ３は、座標ｘ（ｘ＝ｉ×Δｘ）における微小領域に、シリンダ１１から単位時間当たりに流れ込む熱量［Ｗ］を表す。この熱量ｑ３は、シリンダ内物質とシリンダ１１との温度差（Ｔｉ,ｎ（ｔ）−Ｔｆｌｉ（ｔ））の関数となっている。その温度差が大きくなるほど、熱量ｑ３が増える。熱量ｑ３の算出には、シリンダ内物質とシリンダ１１との間の熱伝達係数［Ｗ／（ｍ２・℃）］などが用いられる。
【００４２】
シリンダ内物質の後端（座標ｘ＝ｍ×Δｘ）の温度Ｔｆｌｍ（ｔ）は、冷却装置３０によって外気の温度Ｔａと略同じ温度に保たれている。従って、シリンダ内物質の後端と外気との境界条件としては、温度固定条件が与えられる。つまり、Ｔｆｌｍ（ｔ）＝Ｔａの式が成立する。尚、シリンダ内物質の後端の温度Ｔｆｌｍ（ｔ）は、外気の温度Ｔａよりも高い所定温度Ｔｃ（Ｔｃ＞Ｔａ）に保たれていてもよい。
【００４３】
一方、シリンダ内物質の前端（座標ｘ＝０）と外気との境界条件としては、熱流束境界条件が与えられる。従って、シリンダ内物質の前端（座標ｘ＝０）の昇温速度（温度Ｔｆｌ０（ｔ）の一回微分）は、該微小領域の温度、該微小領域と隣接する微小領域の温度、外気の温度Ｔａ、シリンダ内物質と外気との間の熱伝達係数［Ｗ／（ｍ２・℃）］、シリンダ内物質とシリンダとの間の熱伝達係数［Ｗ／（ｍ２・℃）］などで決まる。
【００４４】
図５は、本発明の一実施形態による加熱源における熱の流出入を表す式の説明図である。加熱源Ｈｋにおける熱の流出入を表す式は、例えば下記式（３）などで表される。式（３）では、式の簡単化のため、各加熱源Ｈｋにおいて、温度分布は一様であるとしてある。
【００４５】
【数３】
2014046488.tif 000005
上記式（３）中、Ｔｈｋ（ｔ）は加熱源Ｈｋの時刻ｔの温度［℃］、Ｔａは外気の温度［℃］、Ｃｋは加熱源Ｈｋの熱容量［Ｊ／℃］、Ｚｋは加熱源Ｈｋの電気抵抗［Ω］、Ａｋは加熱源Ｈｋの外気との接触面積、ｈｋは加熱源Ｈｋと外気との間の熱伝達係数［Ｗ／（ｍ２・℃）］、Ｖｋ（ｔ）は時刻ｔにおける加熱源Ｈｋの電圧［Ｖ］を表す。
Ｖｋ（ｔ）２／Ｚｋは加熱源Ｈｋの出力（単位時間当たりの発熱量）［Ｗ］、ｈｋ×Ａｋ×（Ｔｈｋ−Ｔａ）は加熱源Ｈｋから外気に逃げる単位時間当たりの放熱量［Ｗ］、Ｑｋは加熱源Ｈｋからシリンダ１１に流れ込む単位時間当たりの入熱量［Ｗ］を表す。
熱伝達係数ｈｋは、加熱源Ｈｋと外気との温度差（Ｔｈｋ（ｔ）−Ｔａ）の関数であってよい。その温度差が大きくなるほど、熱伝達係数ｈｋが大きくなる。
入熱量Ｑｋは、加熱源Ｈｋと、シリンダ１１との温度差（Ｔｈｋ（ｔ）−Ｔｉ,０（ｔ））の関数となっている。その温度差が大きくなるほど、入熱量Ｑｋが増える。但し、ｉは、シリンダ１１の複数の微少領域のうち、加熱源Ｈｋと接する微少領域の座標を表す整数である。
【００４６】
このように、シリンダ１１の熱伝導方程式（式（１））、シリンダ内物質の熱伝導方程式（式（２））、及び各加熱源Ｈｋにおける熱の流出入を表す式（式（３））などに基づき、伝熱モデルが作成される。
【００４７】
伝熱モデルは、計算時間の短縮のため、低次元化されたものであってもよい。例えば、シリンダ１１の熱伝導方程式（式（１））、及びシリンダ内物質の熱伝導方程式（式（２））は、線形方程式であるので、入力と出力の関係を保ちつつ、平衡実現法などにより低次元化できる。一方、各加熱源Ｈｋにおける熱の流出入を表す式（式（３））は、非線形方程式であるので、また、もともと低次元であるので、低次元化しなくてよい。
【００４８】
推定部６３は、所定時刻の各加熱源Ｈｋの出力［Ｗ］を伝熱モデルに入力することにより、所定時刻におけるシリンダ１１の任意の位置の温度Ｔｉ,ｊ（ｔ）を算出する。シリンダ１１における微小領域の数（ｍ＋１）×（ｎ＋１）は温度センサＳｋ（図２ではｋ＝１，２，３，４）の数（図２では４つ）よりも著しく多いので、シリンダ１１における詳細な温度分布がわかる。尚、各加熱源Ｈｋの出力は、初期時刻（ｔ＝０）から所定時刻までの出力波形として伝熱モデルに入力されてよい。
【００４９】
また、推定部６３は、所定時刻の各加熱源Ｈｋの出力［Ｗ］を伝熱モデルに入力することにより、所定時刻のシリンダ内物質の微小領域の温度Ｔｆｌｉ（ｔ）、所定時刻の各加熱源Ｈｋの温度Ｔｈｋ（ｔ）も算出できる。従って、シリンダ１１の内部の詳細な温度分布、各加熱源Ｈｋの温度もわかる。尚、各加熱源Ｈｋの出力は、初期時刻（ｔ＝０）から所定時刻までの出力波形として伝熱モデルに入力されてよい。
【００５０】
伝熱モデルは、微分方程式であるので、初期値Ｔｉ,ｊ（ｔ＝０）、Ｔｆｌｉ（ｔ＝０）、Ｔｈｋ（ｔ＝０）を与えることで、Ｔｉ,ｊ（ｔ）、Ｔｆｌｉ（ｔ）、Ｔｈｋ（ｔ）を解くことができる。初期時刻（ｔ＝０）は例えばシリンダ１１の昇温開始時刻でよく、初期値Ｔｉ,ｊ（ｔ＝０）、Ｔｆｌｉ（ｔ＝０）、Ｔｈｋ（ｔ＝０）は外気の温度Ｔａと同じでよい。
【００５１】
尚、各初期値Ｔｉ,ｊ（ｔ＝０）、Ｔｆｌｉ（ｔ＝０）、Ｔｈｋ（ｔ＝０）は、既知であればよく、外気の温度Ｔａと同じでなくてもよい。つまり、初期時刻（ｔ＝０）は、シリンダ１１の昇温開始時刻でなくてもよい。
【００５２】
推定部６３は、伝熱モデルに入力する加熱源Ｈｋの出力［Ｗ］を、加熱源Ｈｋの電力計Ｐｋ（図２参照）などにより検出してよい。加熱源Ｈｋの実際の出力波形に基づいて、温度を推定するので、推定精度が良い。
【００５３】
また、推定部６３は、伝熱モデルに入力する加熱源Ｈｋの出力を、加熱源Ｈｋのフィードバック制御モデル（例えばＰＩＤ制御モデル）の制御定数（例えば比例ゲイン、積分ゲイン、微分ゲイン）に基づいて算出してもよい。先ず、推定部６３は、温度センサＳｋの測定位置における温度Ｔｉ,ｊ（ｔ）と設定温度との偏差、及び制御定数から、時刻ｔより少しだけ未来の時刻ｔ＋Δｔにおける加熱源Ｈｋの出力を予測する。次いで、推定部６３は、予測した加熱源Ｈｋの出力を伝熱モデルに入力し、時刻ｔ＋Δｔにおける温度センサＳｋの測定位置の温度を予測する。このように、加熱源Ｈｋの出力の予測と、温度の予測を繰り返し行うことで、推定部６３は、現在の温度や過去の温度だけでなく、将来の温度を予測することができる。
【００５４】
尚、現在までの加熱源Ｈｋの出力は電力計Ｐｋにより検出し、将来の加熱源Ｈｋの出力はフィードバック制御モデルの制御定数を用いて予測してもよい。
【００５５】
推定部６３は、所定位置の推定温度が所定範囲内にあるかどうかを監視してもよい。例えば、推定部６３は、温度センサＳｋの測定位置における将来の温度Ｔｉ，ｊ（ｔ）を推定し、推定温度が設定温度を含む所定範囲内（例えば設定温度を中心とする所定範囲内）にあるかどうかを監視する。監視結果に基づいて設定温度の良否を予め判別することができる。推定部６３は、推定温度が所定範囲内にあるとき、設定温度が良好であると判別し、推定温度が所定範囲内にないとき、設定温度が良好でないと判別する。
【００５６】
推定部６３は、監視の結果、所定位置の推定温度が所定範囲内にないとき、シリンダ１１の設定温度を変更してよい。推定部６３は、変更した設定温度に基づいて、温度センサＳｋの測定位置における将来の温度Ｔｉ，ｊ（ｔ）を推定し、推定温度が所定範囲内にあるかどうかを監視する。推定温度が所定範囲内に収まるように、設定温度を繰り返し変更することで、設定温度を最適化することができる。設定温度は、成形条件（例えば樹脂の種類）などに応じて予め定められる範囲内で変更されてよい。設定温度の最適化は、シリンダ１１の昇温開始前に行われてよい。
【００５７】
推定部６３は、監視の結果、所定位置の推定温度が所定範囲内にないとき、警告を出力させる。警告は、後述の表示部７１、警告ブザー、警告ランプなどにより発せられる。
【００５８】
推定部６３は、推定された温度Ｔｉ,ｊ（ｔ）、Ｔｆｌｉ（ｔ）、Ｔｈｋ（ｔ）に基づいて、所定時刻における所定位置での熱流束［Ｊ／（ｍ２・ｓ）］、所定時刻に所定位置を通過する単位時間当たりの熱量［Ｗ］などを推定してもよい。熱流束や熱量を推定する位置としては、例えば、加熱源Ｈｋと外気との界面、加熱源Ｈｋとシリンダ１１との界面、シリンダ１１と冷却装置３０との界面、シリンダ１１と外気との界面、シリンダ内物質とシリンダ１１との界面などが挙げられる。尚、熱流束や熱量を推定する位置は、シリンダ１１における微小領域同士の界面、シリンダ１１の内部における微小領域同士の界面でもよい。
【００５９】
推定部６３は、推定した熱流束や熱量が所定値を超えるかどうかを監視してもよく、推定した熱流束や熱量が所定値を超える場合に、警告を出力させてもよい。
【００６０】
射出成形機１０は、図２に示すように、推定部６３の推定結果に基づいて、熱移動を表す値を表示する表示部７１をさらに備える。推定部６３が詳細な温度や熱流束、熱量などを推定しているので、ユーザが興味のある位置の温度や熱流束、熱量などを表示部７１が表示できる。表示部７１は、例えば液晶ディスプレイなどで構成される。表示部７１の表示は、コントローラ６０によって制御される。
【００６１】
表示部７１は、熱移動を表す値として、所定時刻の温度分布、所定位置における温度の時間変化、所定時刻及び所定位置における熱流束［Ｊ／（ｍ２・ｓ）］、及び所定時刻に所定位置を通過する単位時間当たりの熱量［Ｗ］のうち、少なくとも１つを表示してよい。所定時刻は、現在、過去、未来のいずれでもよい。複数の時刻のデータが同時に表示されてもよい。
【００６２】
所定時刻の温度分布は、例えばｘ座標又はｙ座標を一方の軸にとり、温度を他方の軸にとったグラフで表示されてよい。表示部７１を見たユーザは、温度勾配を視覚的に理解でき、熱の移動方向を認識できる。温度分布として、例えばシリンダ１１の温度分布、シリンダ内部の温度分布などが表示される。シリンダ１１における微小領域の数（ｍ＋１）×（ｎ＋１）、シリンダ１１内における微小領域の数（ｍ＋１）は温度センサＳｋの数よりも多いので、詳細な温度分布がわかる。温度分布の方向は、シリンダ１１の軸方向、シリンダ１１の径方向のいずれでもよい。
【００６３】
所定位置における温度の時間変化は、例えば時間を一方の軸にとり、温度を他方の軸にとったグラフで表示されてよい。表示部７１を見たユーザは、昇温時の応答性、定常時の安定性を視覚的に理解できる。
【００６４】
所定時刻及び所定位置における熱流束［Ｊ／（ｍ２・ｓ）］は、例えば棒グラフとして表示されてよい。表示部７１を見たユーザは、温度勾配による熱の移動量、及びその移動方向を視覚的に理解できる。熱流束などは数値として表示されてもよく、表示形態は特に限定されない。
【００６５】
所定時刻に所定位置を通過する単位時間当たりの熱量［Ｗ］は、複数の加熱源Ｈｋの総出力［Ｗ］と同時に表示されてよく、複数の加熱源Ｈｋの総出力［Ｗ］を基準とする割合［％］で表示されてもよい。表示部７１を見たユーザは、加熱源Ｈｋの加熱効率などを理解できる。表示部７１で表示する熱量としては、例えば、加熱源Ｈｋ及びシリンダ１１から外気に逃げる単位時間当たりの放熱量［Ｗ］、加熱源Ｈｋからシリンダ１１に供給される単位時間当たりの入熱量［Ｗ］、シリンダ１１から冷却装置３０へ逃げる単位時間当たりの放熱量［Ｗ］、並びにシリンダ１１からシリンダ内物質へ供給される単位時間当たりの入熱量［Ｗ］などが挙げられる。
【００６６】
また、射出成形機１０は、図２に示すように、ユーザの入力操作を受け付ける入力部７２をさらに備えてよい。コントローラ６０は、入力部７２を介して入力されるユーザの指令に基づいて、表示部７１の表示を制御する。ユーザの利便性が良い。
【００６７】
例えば、表示部７１は、ユーザが入力部７２で指定した位置における、熱移動を表す値を表示してよい。位置の指定の仕方は特に限定されない。例えばユーザは、位置座標（ｘ，ｙ）を入力してもよいし、登録済みの複数の候補位置（例えば、シリンダ内周面、シリンダ内部、温度センサの測定位置など）のうちの１つ以上の位置を選択入力してもよい。
【００６８】
また、表示部７１は、ユーザが入力部７２で指定した時刻における、熱移動を表す値を表示してよい。時刻の指定の仕方は特に限定されない。例えば、ユーザは、現在時刻を基準とする時刻を入力してもよいし、登録済みの複数の候補時刻（例えば、現在時刻、１時間前、１時間後）のうちの１つ以上の時刻を選択入力してもよい。尚、ユーザが時刻を指定しないデフォルトの時刻は現在であってよい。各種データをリアルタイム表示できる。
【００６９】
尚、本実施形態の表示部７１と、入力部７２とは、別に設けられるが、例えばタッチパネルとして、一体に設けられてもよい。
【００７０】
以上、射出成形機の実施形態を説明したが、本発明は上記実施形態などに限定されることはなく、特許請求の範囲に記載された範囲内で、種々の変形、改良が可能である。
【００７１】
例えば、上記実施形態のシリンダ内物質の熱伝導方程式（２）では、式の簡単化のため、図４に示すようにシリンダ１１の内部をシリンダ１１の軸方向に区画し、シリンダ１１の径方向に区画していないが、シリンダの径方向にも区画してもよい。
【００７２】
また、上記実施形態の加熱源Ｈｋにおける熱の流出入を表す式（３）では、式の簡単化のため、図５に示すように各加熱源Ｈｋを複数の微小領域に区画していないが、区画してもよい。
【００７３】
また、上記実施形態のシリンダは、スクリュ・インライン方式のものであるが、プランジャ・プリプラ方式やスクリュ・プリプラ方式のものでもよい。プリプラ方式では、可塑化用シリンダ内で溶融された樹脂を射出用シリンダに供給し、射出用シリンダから金型装置内に溶融樹脂を射出する。プリプラ方式の場合、シリンダは、可塑化用シリンダ、射出用シリンダのいずれでもよい。
【符号の説明】
【００７４】
１０  射出成形機
１１  シリンダ
１２  ノズル
１３  スクリュ
３０  冷却装置
６０  コントローラ
６３  推定部
７１  表示部
７２  入力部
Ｈ１〜Ｈ４  加熱源
Ｚ１〜Ｚ４  ゾーン
Ｓ１〜Ｓ４  温度センサ
【図１】
2014046488.tif 000006
【図２】
2014046488.tif 000007
【図３】
2014046488.tif 000008
【図４】
2014046488.tif 000009
【図５】
2014046488.tif 000010